(57)【要約】      （修正有）【課題】所望の発光色を設定するのに簡便な作業にて形成が可能である自発光装置を提供する。【解決手段】光源１と着色透明なシート状体５とにより所望の色調の発光色が発光窓部２から発せられるようになされるが、発光窓部２の下面２１が平坦となされていることで、カバー材４の発光窓部２の下面にシート状体５を取り付け、カバー材４を本体に取り付けるのみで所望の発光色を設定することができ、形成に係わる作業は簡便なものとなされる。【選択図】図２
2007270435.tif 000002
【特許請求の範囲】
【請求項１】
上方が開口された本体と、該本体の開口部を塞いで発光窓部が設けられたカバー材が取り付けられ、該発光窓部の下方に光源が設けられた自発光装置であって、前記発光窓部の下面が平坦となされると共に、該下面に前記光源の色調と合わせて所望の色調となされる着色透明なシート状体が取り付けられていることを特徴とする自発光装置。
【請求項２】
前記シート状体は、更に透過する光を拡散させる拡散手段が設けられていることを特徴とする請求項１に記載の自発光装置。
【請求項３】
前記シート状体は、蛍光物質及び蓄光物質のいずれか若しくは両方を用いて着色されていることを特徴とする請求項１又は２に記載の自発光装置。
【発明の詳細な説明】
【技術分野】
【０００１】
本発明は、路面に埋設され、発せられる発光色を任意の色調とすることができる自発光装置に関するものである。
【背景技術】
【０００２】
路面に埋設され、発せられる発光色を任意の色調とすることができる自発光装置としては、例えば鋲本体に収納された発光ユニットを備え、発光ユニット光透過材料により一体成形されてなり内部には少なくとも発光体が収納される発光体収納部と、太陽電池が収納される電池収納部とが形成され、この電池収納部内には、内部に太陽電池が収納された収納ケースが収納され、収納ケースは光透過性樹脂により成形されてなり、この収納ケースの外側面又は内側面若しくは前記電池収納部の内壁面の何れかが着色されてなり、または、上記収納ケースと電池収納部の内壁面との間又は収納ケースの内側面と太陽電池との間に着色材が収容されてなる自発光式道路標識が開示されている（例えば特許文献１）。
【０００３】
また、路面に水平且つ同一高に設置出来る金属性の筐体に、上面に透明性の高い樹脂板を備え防水構造の太陽電池電気二重層コンデンサー等の蓄電池と充放電制御器を収納したブロック及び路面と面一の平面を有し且つ水平に近い発光が可能な光路系を有するＬＥＤ発光素子ブロックを装着し路面に平面設置が出来る自発光式道路鋲において、発光部ユニットを発光色別に設置することで種々の発光色の設定が可能となされた自発光式道路鋲が開示されている（例えば特許文献２）。
【０００４】
【特許文献１】特開平９−１１９１１６号公報
【特許文献２】特開平１１−１３１４３０号公報
【発明の開示】
【発明が解決しようとする課題】
【０００５】
しかしながら、特許文献１に記載のような従来の自発光装置では、収納ケースの外側面又は内側面若しくは電池収納部の内壁面を着色したり、収納ケースと電池収納部の内壁面との間に着色材を収容したりする必要があり、所望の発光色を設定するのに繁雑な作業が必要となっていた。また特許文献２に記載のような従来の自発光装置では、発せられる発光色を任意の色とするには、複数のＬＥＤ発光素子ブロックを設ける必要があり、ＬＥＤは発する色調によって必要な装置が異なることから、こちらも所望の発光色を設定するのに繁雑な作業が必要となるものであった。
【０００６】
本発明は上記の如き課題に鑑みてなされたものであり、所望の発光色を設定するのに簡便な作業にて形成が可能である自発光装置を提供せんとするものである。
【課題を解決するための手段】
【０００７】
上記目的を達成するため、本発明は以下のような構成としている。すなわち、本発明に係わる自発光装置は、上方が開口された本体と、該本体の開口部を塞いで発光窓部が設けられたカバー材が取り付けられ、該発光窓部の下方に光源が設けられた自発光装置であって、前記発光窓部の下面が平坦となされると共に、該下面に前記光源の色調と合わせて所望の色調となされる着色透明なシート状体が取り付けられていることを特徴とするものである。
【０００８】
本発明に係わる自発光装置によれば、光源と着色透明なシート状体とにより所望の色調の発光色が発光窓部から発せられるようになされるが、発光窓部の下面が平坦となされていることで、カバー材の発光窓部の下面にシート状体を取り付け、カバー材を本体に取り付けるのみで所望の発光色を設定することができ、形成に係わる作業は簡便なものとなされる。
【０００９】
また前記シート状体は、更に透過する光を拡散させる拡散手段が設けられていれば、発光窓部から発せられる光を拡散してあらゆる方向から光を視認させることができ、また発光される光が分散されて視認された際の刺激を小さくすることができ好ましい。
【００１０】
また前記シート状体は、蛍光物質及び蓄光物質のいずれか若しくは両方を用いて着色されていれば、発光色が鮮やかなものとなって、誘目性が高められると共に発光時における美観を高めることができ好ましい。
【発明の効果】
【００１１】
本発明に係わる自発光装置によれば、光源と着色透明なシート状体とにより所望の色調の発光色が発光窓部から発せられるようになされるが、発光窓部の下面が平坦となされていることで、カバー材の発光窓部の下面にシート状体を取り付け、カバー材を本体に取り付けるのみで所望の発光色を設定することができ、形成に係わる作業は簡便なものとなされる。
【発明を実施するための最良の形態】
【００１２】
本発明に係わる最良の実施の形態について、図面に基づき以下に具体的に説明する。
【００１３】
図１は、本発明に係わる自発光装置の、実施の一形態を示す斜視図である。自発光装置１０は、本体３の上面に無色透明なカバー材４が取り付けられて形成されており、本体３に囲まれたカバー材４の上面全体が発光窓部２となされているものである。かかる自発光装置１０は、主として門から玄関に至るまでの通路の両側縁等に埋設され、発光窓部２が発光することで夜間において歩行者を通路において誘導する用途などに用いられるものである。
【００１４】
図２は、図１に示した自発光装置１０の断面を表す縦断面図である。自発光装置１０は、上方が開口された本体３の開口部を塞ぐように無色透明なカバー材４が設けられており、カバー材４の側縁に段差４１が設けられると共に、その段差に上方から嵌着する固定材３１が設けられ、固定材３１がボルト（図示せず）により本体３に固定されることでカバー材４が本体３に固着されている。固定材３１はカバー材４側縁の全周に亘って取り付けられると共に、カバー材４自体が無色透明となされ、発光窓部２が形成され、且つ発光窓部２の周辺のカバー材４下面には太陽電池７が配置され、カバー材４を透過した光が太陽電池７に入射されるようになされている。
【００１５】
発光窓部２の下面から下方に間隔Ｋをおいて、チップ型の発光ダイオードである光源１が発光基板１１に取り付けられて設けられている。光源１の周辺を囲んで鏡面体であるリフレクタ６が設けられ、光源１から側方に発せられた光は上方に屈折されるようになされているが、光源１に視野角の狭い砲弾型の発光ダイオード等を用いてもよい。発光基板１１の更に下方には、鉛蓄電池である蓄電手段８が設けられ、太陽電池７により発電された電力が蓄電されて、夜間において光源１に蓄電された電力を供給して光源１を発光させるようになされている。
【００１６】
ここで発光窓部２の下面２１は、平坦となされると共に着色透明なシート状体５が貼着されて取り付けられている。シート状体５の色調は、光源１から発せられる光の色調と、発光窓部２から発せられる所望の発光色に合わせて着色されたものであり、例えば光源１から発せられる光の色調が白色で、所望の発光色が赤であればシート状体５の色調を赤色透明とし、光源１から発せられる光の色調が黄色で、所望の発光色が緑であれば、シート状体５の色調を青色透明にする等である。かかる平坦面にシート状体５を取り付けるのみで、発光窓部２から所望の発光色を容易に得られるようになされている。
【００１７】
尚、シート状体５が取り付けられる下面２１は、平坦面で且つシート状体５が取り付け可能なものであれば平滑な平坦面に限定されるものではなく、光を拡散する微少な凹凸が設けられたものや、プリズム状の形状として光源１からの光を乱反射させるような面であってもよい。
【００１８】
シート状体５を着色透明に着色するには、通常の有機顔料や無機顔料により着色してもよいが、蛍光物質及び蓄光物質のいずれか若しくは両方を用いて着色されていれば、発光色が鮮やかなものとなって、誘目性が高められると共に発光時における美観を高めることができるようになされる。蛍光物質、蓄光物質としては、酸化アルミ、酸化ホウ素、酸化ストロンチウム等の酸化物を主体とし、それにユーロピューム等の希土類を配合した酸化系のものが、安全性、化学的な安定性、耐熱性等において利点があり好適に用いることができる。
【００１９】
図３は、シート状体５の変形の一例を示すもので、（ａ）は自発光装置１０の縦断面図、（ｂ）はシート状体５の詳細を示す縦断面図である。シート状体５は、光拡散を行う拡散手段５１の上面に着色透明な着色部５２が設けられて形成されており、光源１から発せられた光が拡散手段５１により拡散光となされ、更に着色部５２により着色されてることで、発光窓部２から発せられる光の視野角を拡大してあらゆる方向から光を視認させて視認性を高めることができ、また発光される光が分散されて視認された際の刺激を小さくするようになされている。尚、着色部５２は、拡散手段５１の光源１側に設けるようにしてもよく、更には拡散手段５１に透明性を損なわない程度に顔料を配合して着色したり、着色部５２に光拡散物質を配合したりして一体に設けるようにしてもよい。
【００２０】
図４は、シート状体の、更に他の例を示すもので、（ａ）は自発光装置１０の縦断面図、（ｂ）はシート状体５の詳細を示す縦断面図である。シート状体５は、着色部５２の上面に印刷層５３が設けられており、印刷層５３により発光窓部２から発せられる光に意匠性を具備させることができる。印刷層５３には適宜の意匠や色調を施してよいが、標識、広告等を施すことで自発光装置１０としての付加価値を更に高めることができる。尚、印刷層５３はシート状体５の上面に形成されているが、発光窓部２の下面２１に設けておいてもよく、更に印刷層５３を着色して一体にて着色部５２を兼ねるものとしてもよい。
【図面の簡単な説明】
【００２１】
【図１】本発明に係わる自発光装置の、実施の一形態を示す斜視図である。
【図２】図１に示した自発光装置の縦断面図である。
【図３】本発明に係わる自発光装置の、シート状体の変形の一例を示す縦断面図である。
【図４】本発明に係わる自発光装置の、シート状体の更に他の例を示す縦断面図である。
【符号の説明】
【００２２】
１    光源
２    発光窓部
３    本体
４    カバー材
５    シート状体
５１  拡散手段
１０  自発光装置
【図１】
2007270435.tif 000003
【図２】
2007270435.tif 000004
【図３】
2007270435.tif 000005
【図４】
2007270435.tif 000006